(57)【要約】【課題】  照明部から発せられた熱を、容易かつ効果的に放熱することができる内視鏡用アダプタ及び内視鏡を提供すること。【解決手段】  内視鏡の挿入部に着脱可能に取り付けられる内視鏡用アダプタ１７であって、被検体に照明光を照射する照明部２３と、前記被検体を観察するための観察光学系２８と、これら照明部２３及び観察光学系２８が設けられた外枠部２１と、前記照明部２３を支持する照明支持部材４４と、前記外枠部２１の先端部近傍から基端部まで延在し、内部に前記観察光学系２８を支持する柱状の光学支持部材３１と、を備え、前記照明支持部材４４と前記光学支持部材３１とが、それぞれ単一部材からなり、前記照明支持部材４４が、前記光学支持部材３１に取り付けられていることを特徴とする。【選択図】        図３
2007029196.tif 000002
【特許請求の範囲】
【請求項１】
内視鏡の挿入部に着脱可能に取り付けられる内視鏡用アダプタであって、
被検体に照明光を照射する照明部と、
前記被検体を観察するための観察光学系と、
これら照明部及び観察光学系が設けられた外枠部と、
前記照明部を支持する照明支持部材と、
前記外枠部の先端部近傍から基端部まで延在し、内部に前記観察光学系を支持する柱状の光学支持部材と、を備え、
前記照明支持部材と前記光学支持部材とが、それぞれ単一部材からなり、
前記照明支持部材が、前記光学支持部材に取り付けられていることを特徴とする内視鏡用アダプタ。
【請求項２】
前記照明支持部材と前記光学支持部材との間に、熱伝導性を有する弾性部材が設けられていることを特徴とする請求項１に記載の内視鏡用アダプタ。
【請求項３】
前記照明支持部材と前記光学支持部材との間に、熱伝導性を有し、かつ前記照明支持部材と前記光学支持部材とを接着する接着剤が設けられていることを特徴とする請求項１に記載の内視鏡用アダプタ。
【請求項４】
内視鏡の挿入部に着脱可能に取り付けられる内視鏡用アダプタであって、
被検体に照明光を照射する照明部と、
前記被検体を観察するための観察光学系と、
これら照明部及び観察光学系が設けられた外枠部と、
前記照明部を支持する照明支持部材を有する照明支持部と、
前記外枠部の先端部から基端部まで延在し、内部に前記観察光学系を支持する柱状の光学支持部材と、を備え、
前記照明支持部が、前記光学支持部材に取り付けられるとともに、
前記外枠部に、前記照明支持部と前記光学支持部材とにまたがった開口部が形成され、この開口部に、前記照明支持部と前記光学支持部材とにわたって延在し、前記光学支持部材よりも熱伝導性の高い熱伝導部材が設けられていることを特徴とする内視鏡用アダプタ。
【請求項５】
前記熱伝導部材が、前記開口部に注入された液状部材が凝固して形成されることを特徴とする請求項４に記載の内視鏡用アダプタ。
【請求項６】
前記開口部の内部に、前記開口部の開口径よりも大径に設定された張り出し溝が設けられ、
前記熱伝導部材に、前記張り出し溝に嵌合する張り出し部が設けられていることを特徴とする請求項４または請求項５内視鏡用アダプタ。
【請求項７】
前記張り出し溝が、前記照明支持部及び前記光学支持部材と、前記外枠部とにわたって形成されていることを特徴とする請求項６に記載の内視鏡用アダプタ。
【請求項８】
内視鏡の挿入部に着脱可能に取り付けられる内視鏡用アダプタであって、
被検体に照明光を照射する照明部と、
前記被検体を観察するための観察光学系と、
これら照明部及び観察光学系が設けられた外枠部と、
前記照明部を支持する照明支持部材を有する照明支持部と、
前記外枠部の先端部から基端部まで延在し、内部に前記観察光学系を支持する柱状の光学支持部材と、を備え、
前記照明支持部または前記光学支持部材のいずれか一方に、他方にまで延在する延在部が設けられており、
この延在部と前記他方とが、同一のネジによって前記外枠部に取り付けられていることを特徴とする内視鏡用アダプタ。
【請求項９】
前記ネジが、前記光学支持部材よりも熱伝導性の高い部材からなることを特徴とする請求項８に記載の内視鏡用アダプタ。
【請求項１０】
請求項１から請求項９のいずれか一項に記載の内視鏡用アダプタと、
この内視鏡用アダプタが着脱可能に取り付けられる挿入部と、を備えることを特徴とする内視鏡。
【発明の詳細な説明】
【技術分野】
【０００１】
本発明は、被検体を観察するための内視鏡用アダプタ及び内視鏡に関するものである。
【背景技術】
【０００２】
近年、医療分野や工業分野などの様々な分野において、被検体に挿入される挿入部と、この挿入部に着脱可能に取り付けられる内視鏡用アダプタと、を備える内視鏡が利用されている（例えば、特許文献１参照。）。その内視鏡用アダプタには、被検体に照明光を照射するＬＥＤと、球状のアダプタ側電極端子とが設けられている。そして、これらＬＥＤとアダプタ側電極端子との間には、圧縮バネが設けられており、この圧縮バネにより、アダプタ側電極端子が、内視鏡用アダプタの後端面から出没するようになっている。
【０００３】
ここで、ＬＥＤを発光させると、そのＬＥＤが熱を発することから、ＬＥＤの変色や故障、または観察画像への悪影響などを防止するために、その熱を放熱する必要がある。そこで、ＬＥＤからの熱を、アダプタ側電極まで伝導させ、このアダプタ側電極から挿入部へと伝導させることにより、放熱が行われる。
【特許文献１】特開２００４−３４１５４６号公報
【発明の開示】
【発明が解決しようとする課題】
【０００４】
しかしながら、上記のような内視鏡では、ＬＥＤからの熱が圧縮バネを介してアダプタ側電極まで伝わっていくが、圧縮バネは金属線がコイル状に巻回されて形成されるため、その全長が長く断面積が小さくなることから、その熱をアダプタ側電極部に効率よく伝導させることができないという問題がある。
【０００５】
本発明は、このような事情に鑑みてなされたものであって、照明部から発せられた熱を、容易かつ効果的に放熱することができる内視鏡用アダプタ及び内視鏡を提供することを目的とする。
【課題を解決するための手段】
【０００６】
上記課題を解決するために、本発明は以下の手段を提供する。
本発明に係る内視鏡用アダプタは、内視鏡の挿入部に着脱可能に取り付けられる内視鏡用アダプタであって、被検体に照明光を照射する照明部と、前記被検体を観察するための観察光学系と、これら照明部及び観察光学系が設けられた外枠部と、前記照明部を支持する照明支持部材と、前記外枠部の先端部近傍から基端部まで延在し、内部に前記観察光学系を支持する柱状の光学支持部材と、を備え、前記照明支持部材と前記光学支持部材とが、それぞれ単一部材からなり、前記照明支持部材が、前記光学支持部材に取り付けられていることを特徴とする。
【０００７】
この発明に係る内視鏡用アダプタにおいては、照明部から発せられた熱が、照明支持部材から光学支持部材へと伝導する。すなわち、照明支持部材と光学支持部材とが放熱経路となる。ここで、光学支持部材は柱状であることから、バネに比べて放熱経路の全長が小さく断面積が大きくなる。さらに、照明支持部材と光学支持部材とがそれぞれ単一部材からなっていることから、それぞれの部材を効率よく熱が伝導していく。
これにより、照明部から発せられた熱を光学支持部材の基端側へと効率よく伝導させることができる。
【０００８】
また、本発明に係る内視鏡用アダプタは、前記照明支持部材と前記光学支持部材との間に、熱伝導性を有する弾性部材が設けられていることを特徴とする。
【０００９】
この発明に係る内視鏡用アダプタにおいては、照明部から発せられた熱が照明支持部材へと伝導し、照明支持部材から弾性部材を介して光学支持部材へと伝導する。
ここで、照明支持部材の面と光学支持部材の面とを、それぞれ隙間なく一様に接触させるのは製造上困難である。
この内視鏡用アダプタでは、弾性部材を介在させることにより、照明支持部材と光学支持部材との間の接触面積を増大させることができ、より効率よく熱を伝導させることができる。
【００１０】
また、本発明に係る内視鏡用アダプタは、前記照明支持部材と前記光学支持部材との間に、熱伝導性を有し、かつ前記照明支持部材と前記光学支持部材とを接着する接着剤が設けられていることを特徴とする。
【００１１】
この発明に係る内視鏡用アダプタにおいては、照明支持部材と光学支持部材との間に接着剤が注入されて、それら照明支持部材と光学支持部材とが接着される。そして、照明部から発せられた熱が照明支持部材へと伝導し、照明支持部材から接着剤を介して光学支持部材へと伝導する。
これにより、接着剤によって照明支持部材と光学支持部材とを接着することによって、照明支持部材と光学支持部材との間の接触面積を増大させることができ、より効率よく伝導させることができる。
【００１２】
また、本発明に係る内視鏡用アダプタは、内視鏡の挿入部に着脱可能に取り付けられる内視鏡用アダプタであって、被検体に照明光を照射する照明部と、前記被検体を観察するための観察光学系と、これら照明部及び観察光学系が設けられた外枠部と、前記照明部を支持する照明支持部材を有する照明支持部と、前記外枠部の先端部から基端部まで延在し、内部に前記観察光学系を支持する柱状の光学支持部材と、を備え、前記照明支持部が、前記光学支持部材に取り付けられるとともに、前記外枠部に、前記照明支持部と前記光学支持部材とにまたがった開口部が形成され、この開口部に、前記照明支持部と前記光学支持部材とにわたって延在し、前記光学支持部材よりも熱伝導性の高い熱伝導部材が設けられていることを特徴とする。
【００１３】
この発明に係る内視鏡用アダプタにおいては、照明部から発せられた熱が照明支持部へと伝導し、照明支持部から主に熱伝導部材へと伝導する。そして、熱伝導部材を通ることにより、照明支持部と光学支持部材との接続部分を乗り越えて、光学支持部材に伝導する。
これにより、照明部から発せられた熱を、光学支持部材の基端部に、より効率よく伝導させることができる。
なお、「照明支持部」は、単一部材からなってもよいし、また、照明支持部材と、この照明支持部材を支持する部材など、複数の部材からなってもよい。
【００１４】
また、本発明に係る内視鏡用アダプタは、前記熱伝導部材が、前記開口部に注入された液状部材が凝固して形成されることを特徴とする。
【００１５】
この発明に係る内視鏡用アダプタにおいては、開口部に液状部材が注入されて、その液状部材が凝固することにより、熱伝導部材が形成される。
ここで、液状部材はそれ自身が空間に応じて変形可能であるため、液状部材を開口部に注入することにより、開口部内の形状に応じて熱伝導部材を容易に形成・設置することができるだけでなく、照明支持部と熱伝導部材との間、並びに光学支持部材と熱伝導部材との間の接触面積を増大させることができる。
【００１６】
また、本発明に係る内視鏡用アダプタは、前記開口部の内部に、前記開口部の開口径よりも大径に設定された張り出し溝が設けられ、前記熱伝導部材に、前記張り出し溝に嵌合する張り出し部が設けられていることを特徴とする。
【００１７】
この発明に係る内視鏡用アダプタにおいては、開口部内の張り出し溝に、張り出し部が嵌合されることにより、熱伝導部材が、開口部の径方向と直交する方向に移動するのが規制される。
これにより、熱伝導部材が開口部から抜け落ちることが防止される。
【００１８】
また、本発明に係る内視鏡用アダプタは、前記張り出し溝が、前記照明支持部及び前記光学支持部材と、前記外枠部とにわたって形成されていることを特徴とする。
【００１９】
この発明に係る内視鏡用アダプタにおいては、外枠部の径を大きくすることなく、張り出し溝の深さ寸法を可及的に大きくすることができ、そのため熱伝導部材の体積を大きくすることができる。したがって、熱伝導効率を一層向上させることができる。
【００２０】
また、本発明に係る内視鏡用アダプタは、内視鏡の挿入部に着脱可能に取り付けられる内視鏡用アダプタであって、被検体に照明光を照射する照明部と、前記被検体を観察するための観察光学系と、これら照明部及び観察光学系が設けられた外枠部と、前記照明部を支持する照明支持部材を有する照明支持部と、前記外枠部の先端部から基端部まで延在し、内部に前記観察光学系を支持する柱状の光学支持部材と、を備え、前記照明支持部または前記光学支持部材のいずれか一方に、他方にまで延在する延在部が設けられており、この延在部と前記他方とが、同一のネジによって前記外枠部に取り付けられていることを特徴とする。
【００２１】
この発明に係る内視鏡用アダプタにおいては、延在部と前記他方とが同一のネジによって外枠部に取り付けられていることから、照明支持部材と光学支持部材とを個別に取り付けるよりも、迅速かつ容易に組み立てることができる。また、ネジ止めすることにより、延在部と前記他方とをより強く密着させることができ、熱伝導効率を向上させることができる。
【００２２】
また、本発明に係る内視鏡用アダプタは、前記ネジが、前記光学支持部材よりも熱伝導性の高い部材からなることを特徴とする。
【００２３】
この発明に係る内視鏡用アダプタにおいては、照明部から発せられた熱が、ネジを介して延在部へと伝導し、さらに光学支持部材の後端部に伝導していく。
これにより、上記と同様の効果を奏することができるだけでなく、熱伝導効率を一層向上させることができる。
【００２４】
また、本発明に係る内視鏡は、請求項１から請求項９のいずれか一項に記載の内視鏡用アダプタと、この内視鏡用アダプタが着脱可能に取り付けられる挿入部と、を備えることを特徴とする。
【００２５】
この発明に係る内視鏡においては、請求項１から請求項９のいずれか一項に記載の内視鏡用アダプタと同様の効果を奏することができる。
【発明の効果】
【００２６】
本発明によれば、照明部から発せられた熱を光学支持部材の基端側へと効率よく伝導させることができることから、照明部から発せられた熱を、容易かつ効果的に放熱することができる。
【発明を実施するための最良の形態】
【００２７】
（実施形態１）
以下、本発明の第１の実施形態における内視鏡について、図面を参照して説明する。
図１は、本発明の第１の実施形態としての内視鏡１を示したものである。
この内視鏡１は、湾曲可能な湾曲部７を有する長尺状の挿入部２と、この挿入部２が連結されて各種操作を行う本体部３とを備えている。
【００２８】
本体部３は略箱型に形成されており、その側壁部に、挿入部２の湾曲操作を行うための操作パネル６が設けられている。また、本体部３の天面には、観察画像を映し出すためのモニタ８が設けられている。さらに、本体部３には、電源を供給するための電源部１１が設けられている。
また、挿入部２の基端部は、不図示の連結部を介して本体部３に着脱可能に連結されている。一方、挿入部２の先端部には、図２に示すように、撮像手段としてのＣＣＤ１６が内蔵されている。また、挿入部２の外周面には、その全周にわたって延びる雄ネジ部１２が形成されている。
【００２９】
さらに、挿入部２の先端面には、図１に示す電源部１１に電気的に接続された挿入部側電極端子１３が設けられている。このような挿入部２の先端部に、単眼側視用の光学アダプタ（内視鏡用アダプタ）１７が着脱可能に取り付けられるようになっている。
光学アダプタ１７は、図３及び図４に示すように、有底円筒状に形成された本体外枠部（外枠部）２１と、略円筒状に形成された取付フード部２２とを備えている。これら本体外枠部２１と取付フード部２２とは、同一軸線上に、かつ互いに回転可能に連結されている。その軸線が光学アダプタ１７の軸線Ｌとなる。
本体外枠部２１は、ステンレスなどにより形成されており、その側壁部には、照明光を照射するＬＥＤ（照明部）２３が設けられている。ＬＥＤ２３は、後述するＬＥＤ支持ブロック（照明支持部材）４４に取り付けられている。
【００３０】
また、本体外枠部２１の側壁部であって、ＬＥＤ２３の近傍には、被検体からの反射光を取り込むための観察窓２６が設けられている。さらに、本体外枠部２１の内部には、円柱状の光学支持部材３１が、軸線Ｌ上に向けられて設置されている。光学支持部材３１は、本体外枠部２１の先端部４２の近傍から基端部４３まで延在している。また光学支持部材３１の中央には、軸線Ｌ方向に向けられた貫通孔３２が形成されており、この貫通孔３２は、径寸法の大きい大径孔３３と、大径孔３３よりも径寸法の小さい小径孔３４とからなっている。大径孔３３は光学支持部材３１の先端部側に配されており、小径孔３４は、基端部側に配されている。
【００３１】
大径孔３３には、観察窓２６から取り込まれた反射光の進行方向を、軸線Ｌ方向の後方に変更するプリズム２７が設けられている。また、プリズム２７の後方（軸線Ｌ方向の後方）であって、小径孔３４内には、その軸線Ｌ上に観察光学系２８が設けられている。すなわち、観察光学系２８は、光学支持部材３１によって本体外枠部２１内で支持されている。
また、本体外枠部２１の後端には、アダプタ側電極端子３７が設けられており、このアダプタ側電極端子３７は、不図示の電源ケーブルを介して、ＬＥＤ２３に電気的に接続されている。
【００３２】
また、上記取付フード部２２は、ステンレスなどにより形成されており、その内周面の後端部には、全周にわたって延びる第１雌ネジ部３８が形成されている。さらに、第１雌ネジ部３８から先端側に所定の間隔を空けて第２雌ネジ部３９が形成されている。
このような構成のもと、挿入部２の先端を光学アダプタ１７の後端に挿入し、取付フード部２２を回転させると、まず雄ネジ部１２と第１雌ネジ部３８とが螺合するようになっている。さらに取付フード部２２を回転させると、雄ネジ部１２は、第１雌ネジ部３８を乗り越えて、第２雌ネジ部３９に螺合し、これにより、光学アダプタ１７が挿入部２の先端に着脱可能に取り付けられるようになっている。すなわち、第１雌ネジ部３８は、光学アダプタ１７が挿入部２から脱落するのを防止するための抜け止めとして機能するものである。
【００３３】
さらに、本実施形態におけるＬＥＤ２３は、中実に形成されたＬＥＤ支持ブロック４４によって支持されており、このＬＥＤ支持ブロック４４は、本体外枠部２１の先端部４２の内部空間を埋めるようなブロック状に形成されている。そして、このＬＥＤ支持ブロック４４は、接合部４８を介して光学支持部材３１の先端に取り付けられている。
また、本実施形態における光学支持部材３１及びＬＥＤ支持ブロック４４は、複数の部材が接合されることなく、それぞれ単一の部材からなっている。
さらに、接合部４８におけるＬＥＤ支持ブロック４４と光学支持部材３１との間には、熱伝導性を有する弾性部材４７が設けられている。この弾性部材４７の厚さ寸法は、加圧されない自然状態において、接合部４８におけるＬＥＤ支持ブロック４４と光学支持部材３１との間のギャップ寸法より大きく設定されている。そのため、弾性部材４７は、ＬＥＤ支持ブロック４４と光学支持部材３１との間において、弾性変形して両者に密着した状態になっている。
【００３４】
次に、このように構成された本実施形態における内視鏡１の作用について説明する。
まず、挿入部２の先端に光学アダプタ１７を上述のように取り付ける。これによって、アダプタ側電極端子３７と挿入部側電極端子１３とが電気的に接続されて、不図示の電源ケーブルを介して電源部１１からＬＥＤ２３に電力が供給される。そして、挿入部２を被検体内に挿入して、ＬＥＤ２３から照明光を照射させる。このとき、被検体からの反射光が、観察窓２６を介して光学アダプタ１７に取り込まれる。この取り込まれた反射光は、プリズム２７及び観察光学系２８を介してＣＣＤ１６に結像する。そして、ＣＣＤ１６からの出力信号が、所定の回路に送られて、さらにモニタ８に供給される。これにより、モニタ８に観察画像が映し出され、この観察画像を見ながら、被検体の所定の検査が行われる。
【００３５】
これら一連の検査において、ＬＥＤ２３に電力を供給し、ＬＥＤ２３を駆動すると、それらＬＥＤ２３が熱を発することになる。この熱は、以下のようにして放熱される。
すなわち、ＬＥＤ２３からの熱は、ＬＥＤ支持ブロック４４の図３における上端部に伝導し、さらにＬＥＤ支持ブロック４４の下端部に伝導していく。下端部に伝導した熱は、弾性部材４７を介して光学支持部材３１の先端部に伝導し、さらに光学支持部材３１の後端部に伝導していく。すなわち、ＬＥＤ支持ブロック４４と光学支持部材３１とが放熱経路となる。
ここで、ＬＥＤ支持ブロック４４が中実のブロックからなり、光学支持部材３１が円柱形状であることから、バネに比べて放熱経路の全長が小さく断面積が大きくなる。また、ＬＥＤ支持ブロック４４及び光学支持部材３１が単一部材からなることから、複数の部材が接合された複数部材よりも熱が伝わりやすくなる。
さらに、光学支持部材３１の後端部に伝導した熱は、アダプタ側電極端子３７から挿入部側電極端子１３へと伝導し、さらに挿入部２の基端側へと伝導していく。これにより、ＬＥＤ２３から発せられた熱が放熱される。
【００３６】
以上より、本実施形態における内視鏡１によれば、放熱経路の全長が小さく断面積が大きくなるだけでなく、ＬＥＤ支持ブロック４４及び光学支持部材３１が単一部品からなることから、ＬＥＤ２３から発せられた熱を、ＬＥＤ支持ブロック４４の上端部から光学支持部材３１の後端部まで効率よく伝導させることができる。そのため、ＬＥＤ２３からの熱を容易かつ効果的に放熱することができる。
また、ＬＥＤ支持ブロック４４と光学支持部材３１との間には、弾性部材４７が設けられており、この弾性部材４７の厚さ寸法が、上記ギャップ寸法より大きく設定されていることから、ＬＥＤ支持ブロック４４と光学支持部材３１との間の接触面積を増大させることができ、より効率よく熱を伝導させることができる。
【００３７】
なお、本実施形態においては、光学アダプタ１７を側視用としたが、これに限ることはなく、図５に示すように、直視用のものであってもよい。この場合、ＬＥＤ２３は、ドーナツ形状のＬＥＤ基板（照明支持部材）４９に取り付けられている。ＬＥＤ基板４９は、単一部品からなっている。ＬＥＤ基板４９と光学支持部材３１との間には、熱伝導性を有する接着剤５２が設けられており、ＬＥＤ基板４９と光学支持部材３１とが接着されている。そして、ＬＥＤ２３から発せられた熱は、ＬＥＤ基板４９から接着剤５２を介して光学支持部材３１へと伝導する。
これにより、接着剤５２によってＬＥＤ基板４９と光学支持部材３１との間の接触面積を増大させることができ、より効率よく熱を伝導させることができる。
なお、ＬＥＤ基板４９と光学支持部材３１との間に設けるのは、弾性部材４７または接着剤５２のいずれであってもよい。さらに、弾性部材４７または接着剤５２のいずれも設けなくてもよい。例えば、図６に示すように、ＬＥＤ支持ブロック４４と光学支持部材３１とを直接接触させてもよい。これにより、光学アダプタ１７の構成を簡易にすることができる。ただし、熱伝導効率の観点からは、弾性部材４７または接着剤４２を設けるのが好ましいのは上述の通りである。
【００３８】
また、本実施形態においては、軸線Ｌ上に観察光学系２８が配された単眼タイプとしているが、これに限ることはなく、図７及び図８に示すように、軸線Ｌに沿って観察光学系２８が２列に配された双眼タイプであってもよい。そして、図９に示すように、双眼タイプの場合の光学支持部材３１は、観察光学系２８を支持する支持本体部５４と、支持本体部５４の先端外周に設けられた外筒部５３とを備えている。この外筒部５３の先端面には、ＬＥＤ基板４９が取り付けられている。そして、ＬＥＤ２３からの熱は、ＬＥＤ基板４９、外筒部５３及び支持本体部５４を通ってアダプタ側電極端子３７へと伝導していく。
このような構成においては、外筒部５３を設けることにより、双眼タイプの細長い光学アダプタ１７であっても組み立てを容易かつ迅速に行うことができる。
【００３９】
（実施形態２）
次に、本発明の第２の実施形態について説明する。
図１０及び図１１は、本発明の第２の実施形態を示したものである。
図１０及び図１１において、図１から図９に記載の構成要素と同一部分については同一符号を付し、その説明を省略する。
この実施形態と上記第１の実施形態とは基本的構成は同一であり、ここでは異なる点についてのみ説明する。
【００４０】
本実施形態においては、ＬＥＤ２３がＬＥＤ基板（照明支持部材）４９´に取り付けられ、このＬＥＤ基板４９´が、中実に形成された支持ブロック６３に取り付けられている。これらＬＥＤ基板４９´及び支持ブロック６３は、ＬＥＤ２３を支持するＬＥＤ支持部（照明支持部）６２として機能するものである。すなわち、ＬＥＤ支持部６２は、ＬＥＤ基板４９´及び支持ブロック６３の複数の部材からなっている。
支持ブロック６３は、本体外枠部２１の先端部４２の内部空間を埋めるようなブロック状に形成されている。そして、この支持ブロック６３は、接合部４８を介して光学支持部材３１の先端に取り付けられている。
【００４１】
また、本体外枠部２１には、支持ブロック６３と光学支持部材３１とにまたがった開口部５７が形成されている。すなわち、支持ブロック６３と光学支持部材３１との境界線となる接合部４８が、開口部５７に一致する位置に配されている。この開口部５７には、支持ブロック６３及び光学支持部材３１よりも熱伝導性の高いはんだ部（熱伝導部材）５８が設けられている。はんだ部５８は、液状のはんだ（液状部材）が開口部５７に注入され、所定の時間おくことによってその液状のはんだが凝固して形成されたものである。このはんだ部５８は、支持ブロック６３と光学支持部材３１とにわたって延在している。
このような構成のもと、ＬＥＤ２３から発せられた熱は、ＬＥＤ基板４９´を介して支持ブロック６３の上端部へと伝導する。さらに、その熱は、支持ブロック６３の上端部から下端部へと伝導し、下端部から主としてはんだ部５８に伝導する。そして、はんだ部５８を通ることにより、接合部４８を乗り越えて光学支持部材３１に伝導していく。
【００４２】
以上より、本実施形態における内視鏡１によれば、ＬＥＤ２３から発せられた熱を、はんだ部５８を通すことにより、より効率よく光学支持部材３１の基端部にその熱を伝導させることができる。
また、はんだ部５８は、液状のはんだが開口部５７に注入されることにより形成されているので、開口部５７内の形状に応じて、放熱経路となるはんだ部５８を容易に設置することができるだけでなく、支持ブロック６３とはんだ部５８との間、並びに光学支持部材３１とはんだ部５８との間の接触面積を増大させることができる。
【００４３】
なお、本実施形態においては、はんだ部５８としたが、これに限ることはなく、銅やアルミなどの金属、またはシリコンなどの熱伝導性を有する樹脂であってもよい。
また、はんだ部５８を、液状のはんだを開口部５７に注入することにより形成するとしたが、これに限ることはなく、開口部５７内の形状に合わせてあらかじめ成形した部材を設置してもよい。
さらに、複数部材からなるＬＥＤ支持部６２を設けるとしたが、これに代えて、単一部材からなる上記第１実施形態におけるＬＥＤ支持ブロック４４を設けるようにしてもよい。
【００４４】
また、図１２に示すように、直視用の光学アダプタ１７であってもよい。そして、ＬＥＤ基板４９を、ドーナツ形状のＬＥＤケース５９に取り付けて、このＬＥＤケース５９を光学支持部材３１に取り付けるようにしてもよい。すなわち、ＬＥＤ基板４９及びＬＥＤケース５９は、ＬＥＤ支持部６２´として機能する。
【００４５】
（実施形態３）
次に、本発明の第３の実施形態について説明する。
図１３は、本発明の第３の実施形態を示したものである。
本実施形態においては、開口部５７の内部であって本体外枠部２１に、開口径ｄ１よりも大きな径ｄ２を有する張り出し溝６４が形成されている。そして、この開口部５７に液状のはんだが注入され、はんだ部５８が形成される。はんだ部５８には、径方向外方に張り出した張り出し部６６が形成されており、張り出し部６６は張り出し溝６４に嵌合している。すなわち、開口部５７及びはんだ部５８は、側面視して全体として凸形状をなしている。
【００４６】
このような構成のもと、はんだ部５８が開口部５７の径方向と直交する方向（開口部５７の深さ方向）に移動しようとすると、張り出し部６６と張り出し溝６４とによってその移動が規制される。
これにより、上記第２の実施形態に係る発明と同様の効果を奏することができるだけでなく、はんだ部５８が開口部５７から抜け落ちることが防止される。
また、はんだ部５８が、液状のはんだが開口部５７に注入されて形成されていることから、開口部５７が凸形状のような複雑な形状であっても、その開口部５７内にはんだ部５８を容易に設置することができる。
【００４７】
なお、本実施形態においては、光学アダプタ１７を側視用としたが、これに限ることはなく、図１４に示すように、直視用としてもよい。
また、本体外枠部２１に張り出し溝６４が形成されるとしたが、これに限ることはなく、図１５に示すように、ＬＥＤ支持ブロック４４及び光学支持部材３１に張り出し溝６４を形成し、この張り出し溝６４と開口部５７とを繋げるようにしてもよい。さらに、図１６に示すように、ＬＥＤ支持ブロック４４及び光学支持部材３１と、本体外枠部２１とにわたって、張り出し部６６を形成するようにしてもよい。これにより、本体外枠部２１の径を大きくすることなく、張り出し溝６４の深さ寸法ｈを可及的に大きくすることができ、そのためはんだ部５８の体積を大きくすることができる。したがって、熱伝導効率を一層向上させることができる。
【００４８】
また、開口部５７及びはんだ部５８が、側面視して全体として凸形状をなしているとしたが、これに限ることはなく、それら形状等は適宜変更可能である。例えば、開口部５７内に、開口端にいくにしたがって径が漸次細くなるような傾斜部を設けてもよい。また、張り出し部６６を開口部５７の全周にわたって形成してもよいし、周方向の一部に形成してもよい。
【００４９】
（実施形態４）
次に、本発明の第４の実施形態について説明する。
図１７は、本発明の第４の実施形態を示したものである。
この実施形態においては、本体外枠部２１に、軸線Ｌに直交する方向に向けられたネジ用開口部６８が形成されている。さらに、光学支持部材３１の先端面に、その先端面から軸線Ｌ方向に沿ってＬＥＤ支持ブロック４４側に延在する延在部６７が一体的に設けられている。延在部６７には、ネジ用開口部６８に一致する位置に止め孔７０が形成されている。また、ＬＥＤ支持ブロック４４には、止め孔７０に一致するネジ孔７１が形成されている。そして、ネジ用開口部６８及び止め孔７０に同一のネジ７２が通され、ネジ孔７１にネジ７２が螺合することにより、延在部６７を介する光学支持部材３１とＬＥＤ支持ブロック４４とが本体外枠部２１内に取り付けられている。
【００５０】
以上より、光学支持部材３１とＬＥＤ支持ブロック４４とが同一のネジ７２によって本体外枠部２１に取り付けられていることから、ＬＥＤ支持ブロック４４と光学支持部材３１とを個別に取り付けるよりも、迅速かつ容易に組み立てることができる。また、ネジ止めすることにより、延在部６７と光学支持部材３１とをより強く密着させることができ、熱伝導効率を向上させることができる。
【００５１】
なお、光学支持部材３１に延在部６７を設けるとしたが、これに限ることはなく、ＬＥＤ支持ブロック４４に、光学支持部材３１側に延在する延在部を設けるようにしてもよい。
また、ネジ７２が、ＬＥＤ支持ブロック４４及び光学支持部材３１よりも熱伝導性の高い部材からなるものとしてもよい。この場合、ＬＥＤ２３から発せられた熱は、ＬＥＤ支持ブロック４４、ネジ７２及び延在部６７を介して、光学支持部材３１の基端部に伝導していく。これにより、熱伝導効率を一層向上させることができる。
さらに、図１８に示すように、光学アダプタ１７を直視用としてもよい。例えば、ＬＥＤケース５９の後端面に、光学支持部材３１側に延在する延在部６７を設ける。これにより、ＬＥＤ支持部６２の位置決めを容易に行うことができ、ＬＥＤ支持部６２と光学支持部材３１とを個別に取り付けるよりも、迅速かつ容易に組み立てることができる。また、ネジ止めすることにより、延在部６７と光学支持部材３１とをより強く密着させることができ、熱伝導効率を向上させることができる。
【００５２】
なお、上記第２から第４の実施形態においては、光学アダプタ１７を単眼タイプとしているが、双眼タイプのものであってもよい。
なお、本発明の技術範囲は上記の実施形態に限定されるものではなく、本発明の趣旨を逸脱しない範囲において、種々の変更を加えることが可能である。
【図面の簡単な説明】
【００５３】
【図１】本発明に係る内視鏡の第１の実施形態を示す全体構成図である。
【図２】図１の挿入部の先端に内視鏡用アダプタが取り付けられる様子を拡大して示す説明図である。
【図３】図１の内視鏡用アダプタを拡大して示す側断面図である。
【図４】図２の内視鏡用アダプタを別の視点から見た様子を示す図であって、取り付けフード部の一部を破断して示す斜視図である。
【図５】図３の内視鏡用アダプタを、単眼直視タイプとして適用した例を示す側断面図である。
【図６】図３の内視鏡用アダプタの変形例を示す側断面図である。
【図７】図３の内視鏡用アダプタを、双眼側視タイプとして適用した例を示す側断面図である。
【図８】図３の内視鏡用アダプタを、双眼直視タイプとして適用した例を示す側断面図である。
【図９】図８の双眼直視タイプの内視鏡用アダプタの変形例を示す側断面図である。
【図１０】本発明に係る内視鏡の第２の実施形態の要部を示す図であって、内視鏡用アダプタを示す側断面図である。
【図１１】図１０の内視鏡用アダプタの一部を破断して示す斜視図である。
【図１２】図１０の内視鏡用アダプタを、単眼直視タイプとして適用した例を示す側断面図である。
【図１３】本発明に係る内視鏡の第３の実施形態の要部を示す図であって、内視鏡用アダプタを示す側断面図である。
【図１４】図１３の内視鏡用アダプタを、単眼直視タイプとして適用した例を示す側断面図である。
【図１５】図１３の内視鏡用アダプタの張り出し溝等の変形例を示す側断面図である。
【図１６】図１３の内視鏡用アダプタの張り出し溝等の他の変形例を示す側断面図である。
【図１７】本発明に係る内視鏡の第４の実施形態の要部を示す図であって、内視鏡用アダプタを示す側断面図である。
【図１８】図１７の内視鏡用アダプタを、単眼直視タイプとして適用した例を示す側断面図である。
【符号の説明】
【００５４】
１    内視鏡
２    挿入部
１７  光学アダプタ（内視鏡用アダプタ）
２１  本体外枠部（外枠部）
２３  ＬＥＤ（照明部）
２８  観察光学系
３１  光学支持部材
４４  ＬＥＤ支持ブロック（照明支持部材）
４７  弾性部材
４９  ＬＥＤ基板（照明支持部材）
５２  接着剤
５８  はんだ部（熱伝導部材）
６２  ＬＥＤ支持部（照明支持部）
６４  張り出し溝
６６  張り出し部
６７  延在部
７２  ネジ
ｄ１  開口径
【図１】
2007029196.tif 000003
【図２】
2007029196.tif 000004
【図３】
2007029196.tif 000005
【図４】
2007029196.tif 000006
【図５】
2007029196.tif 000007
【図６】
2007029196.tif 000008
【図７】
2007029196.tif 000009
【図８】
2007029196.tif 000010
【図９】
2007029196.tif 000011
【図１０】
2007029196.tif 000012
【図１１】
2007029196.tif 000013
【図１２】
2007029196.tif 000014
【図１３】
2007029196.tif 000015
【図１４】
2007029196.tif 000016
【図１５】
2007029196.tif 000017
【図１６】
2007029196.tif 000018
【図１７】
2007029196.tif 000019
【図１８】
2007029196.tif 000020